(57)【要約】  本発明は、狭い隙間における清掃にも充分な清掃能力を発揮できる清掃用具を提供することを目的とする。  本発明の清掃用具は、清掃部と柄部とからなり、清掃部は、シート様繊維束とシートとを接合して接合部を形成したシート重ね合わせ体を接合部に沿うように折り曲げて嵩高部形成部を形成し、該嵩高部形成部を形成したシート重ね合わせ体が嵩高部形成部を対面させるように折り曲げられて対向するシート様繊維束相互の当接面が接合するように一体化されて形成され、前記嵩高部形成部の一端側に開口した柄挿入口を有し、嵩高部形成部内部に形成された柄挿入部に柄部の支持棒を挿入するようにしている。【特許請求の範囲】
【請求項１】
清掃部と柄部とからなる清掃用具であって、
清掃部は、シート様繊維束とシートとを接合して接合部を形成したシート重ね合わせ体を接合部に沿うように折り曲げて嵩高部形成部を形成し、該嵩高部形成部を形成したシート重ね合わせ体が嵩高部形成部を対面させるように折り曲げられて対向するシート様繊維束相互の当接面が接合するように一体化されて形成され、前記嵩高部形成部の一端側に開口した柄挿入口を有し、嵩高部形成部内部に形成された柄挿入部に柄部の支持棒を挿入するようにしたことを特徴とする清掃用具。
【請求項２】
清掃部と柄部とからなる清掃用具であって、
清掃部は、シート様繊維束と、短冊状部を有するシートとを部分的に接合して接合部を形成したシート重ね合わせ体を接合部に沿うように折り曲げて嵩高部形成部を形成し、該嵩高部形成部を形成したシート重ね合わせ体が嵩高部形成部を対面させるようにシート様繊維束側を内側にして折り曲げられてシート様繊維束相互の当接面が接合するように一体化されて形成され、前記嵩高部形成部の一端側に開口した柄挿入口を有し、嵩高部形成部内部に形成された柄挿入部に柄部の支持棒を挿入するようにしたことを特徴とする清掃用具。
【請求項３】
シート様繊維束が、複数枚のシート様繊維束を重ねて形成されている請求項１または２記載の清掃用具。
【請求項４】
シート様繊維束は、多数の繊維からなる第１シート様繊維束と、第１シート様繊維束を構成する繊維よりも太い繊維からなる第２シート様繊維束とを備えることを特徴とする請求項３記載の清掃用具。
【請求項５】
シート様繊維束は、多数の繊維からなる第１シート様繊維束と、第１シート様繊維束を構成する繊維よりも太く且つ短い繊維からなる第２シート様繊維束とを部分的に接合してなる構成を備える請求項１記載の清掃用具。
【請求項６】
清掃部は、シート重ね合わせ体が折り曲げられて対面するシート様繊維体の間に、第１シート様繊維束及び／又は第２シート様繊維束とからなる繊維束体を介在させて、繊維束体とシート様繊維束とを互いに当接する位置で接合してなる請求項１または５記載の清掃用具。
【請求項７】
シート重ね合わせ体は、シートに対してシート様繊維束を挟んで反対側の面を覆うように接合部の位置でシート体をシート様繊維束に接合してなることを特徴とする請求項１記載の清掃用具。
【請求項８】
シート様繊維束は、複数枚の第１シート様繊維束、及び／又は、複数枚の第２シート様繊維束を備えている請求項４または５記載の清掃用具。
【請求項９】
シート様繊維束は、第１シート様繊維束と第２シート様繊維束を交互に重ね合わせてなる請求項８記載の清掃用具。
【請求項１０】
シートは、不織布よりなる請求項１から９のいずれかに記載の清掃用具。
【請求項１１】
繊維をシート様に束ねたシート様繊維束と、短冊状部を有するシートとを重ね合わせて部分的に接合してシート重ね合わせ体を形成し、次いでシート重ね合わせ体の接合部において、シート様繊維束が折り重なるように接合部に沿うように折り曲げて嵩高部形成部となした後、短冊状部を有するシートが嵩高部形成部を包むように相対向するシート様繊維束側に折り返し、更にシート様繊維束側が内側となるように折り曲げ、シート様繊維束相互の当接面が接合するように、シート様繊維束と短冊状部を有するシートとを接合一体化することを特徴とする清掃用具における清掃部の製造方法。
【請求項１２】
短冊状部を有するシート形成用の長尺なシートに短冊形成用の切れ目を入れる工程、
上記短冊形成用の切れ目を入れた長尺なシートと、繊維をシート様に束ねた長尺なシート様繊維束と、シート様繊維束を支える基材シートとを順に重ね合わせて形成した長尺なシート重ね合わせ体を、シートの幅方向に沿って接合して接合部を形成する工程、
接合部と接合部との間で長尺なシート重ね合わせ体を切断して清掃部形成用重ね合わせシートを得る工程、
清掃部形成用重ね合わせシートにおける短冊状部を有するシートの前記接合部を挟む片側部分を切除するとともに、基材シートの前記接合部を挟む両側部分を切除し、次いで接合部に沿ってシート様繊維束が折り重なるように折り曲げ、接合部が嵩高筒状になるように接合して嵩高部形成部を形成する工程、
嵩高部形成部を形成した清掃部形成用重ね合わせシートを、シート様繊維束側が内側となるように折り曲げてシート様繊維束相互の当接面が接合するように一体化されて、嵩高部形成部の一端側に開口した柄挿入口を形成する工程、とからなることを特徴とする清掃用具における清掃部の製造方法。
【請求項１３】
接合は熱融着により行われる請求項１１または１２記載の清掃用具における清掃部の製造方法。
【発明の詳細な説明】
【技術分野】
【０００１】
本発明は、清掃部と柄部とからなる清掃用具及び該清掃用具における清掃部の製造方法に関する。
【背景技術】
【０００２】
タンス等の家具、パソコンや照明器具等の電気製品、建物内部の壁、敷居、かも居等についた埃を取り除くための清掃用具としては、従来からハタキが用いられてきた。ハタキは、柄部の先端に複数の索状帯が取り付けられた構造を有し、前記索状帯で埃がついた対象物の表面をはたくことにより、埃を取り去るというものである。従って従来のハタキには拭き取るという機能がなかったので、埃を大気中に撒き散らすことなく取り去ることができなかった。【０００３】
このようなハタキの問題点を改良するために、拭き取り部とハタキ部を備えた清掃布を柄部の先端のヘッドに取り付けてなる清掃用具（特許文献１）や、柄部とヘッド部と清掃布からなり、ヘッド部の中央に本体部を構成すると共に、本体部の周辺に薄肉の可撓性部を形成してなるハンドワイパー（特許文献２）等が提案されている。【０００４】
しかしながら特許文献１に記載の清掃用具は、拭き取り部による汚れ拭き取り能力が十分ではなく、使い勝手も悪いものであった。また特許文献２に記載のハンドワイパーも、汚れ拭き取り能力が充分でないばかりか、狭い隙間における清掃を良好に行うことはできなかった。【０００５】
本発明は上記課題を解決するためになされたもので、狭い隙間における清掃にも充分な清掃能力を発揮できる清掃用具を提供することを目的とする。【０００６】
【特許文献１】特開平１０−４３１１５号公報
【特許文献２】特開２０００−８３８８３号公報
【発明の開示】
【０００７】
本発明は、清掃部と柄部とからなる清掃用具であって、清掃部は、シート様繊維束とシートとを接合して接合部を形成したシート重ね合わせ体を接合部に沿うように折り曲げて嵩高部形成部を形成し、該嵩高部形成部を形成したシート重ね合わせ体が嵩高部形成部を対面させるように折り曲げられて対向するシート様繊維束相互の当接面が接合するように一体化されて形成され、前記嵩高部形成部の一端側に開口した柄挿入口を有し、嵩高部形成部内部に形成された柄挿入部に柄部の支持棒を挿入するようにしたことを特徴とする清掃用具である。
【０００８】
本発明の清掃用具は、シート重ね合わせ体を折り曲げて対向するシート様繊維束の当節面を部分的に接合して嵩高部形成部を形成し、この嵩高部形成部を形成したシート重ね合わせ体をさらに折り曲げて対面するシート様繊維束の当接面を接合して、嵩高部形成部の形成されている位置に一端側に開口した柄挿入口と柄挿入部を嵩高に形成するように構成している。このためこの清掃用具は、幅細な形状に形成することができ、したがって、幅狭い隙間にあるような塵や埃を効率よく掻き出すことが可能となる。また、この清掃用具は、清掃部に繊維を束ねたシート様繊維束を用いているから、幅狭な隙間の細い溝状部に埃が潜んでいても、そのような細い溝状部までシート様繊維束を構成する繊維を入り込ませ、その溝に潜む埃を効率よく掻き出し、汚れの拭き取り能力に優れる。
【０００９】
また、この清掃用具は、シート重ね合わせ体を折り曲げることで柄挿入部を形成しており、柄挿入部となる部品を清掃部とは別途に製作して配設する必要がなく、清掃用具を構成する部品の数を低減させることができる。
【００１０】
本発明は、清掃部と柄部とからなる清掃用具であって、清掃部は、シート様繊維束と、短冊状部を有するシートとを部分的に接合して接合部を形成したシート重ね合わせ体を接合部に沿うように折り曲げて嵩高部形成部を形成し、該嵩高部形成部を形成したシート重ね合わせ体が嵩高部形成部を対面させるようにシート様繊維束側を内側にして折り曲げられてシート様繊維束相互の当接面が接合するように一体化されて形成され、前記嵩高部形成部の一端側に開口した柄挿入口を有し、嵩高部形成部内部に形成された柄挿入部に柄部の支持棒を挿入するようにしたことを特徴とする清掃用具である。
【００１１】
この清掃用具によれば、上記したような幅細な形状に形成できて幅狭い隙間にあるような塵や埃を効率よく掻き出すことが可能となる効果や、構成する部品の数を低減させることができる効果に加え、シートに設けられた短冊状部により、シート様繊維束を構成する繊維では掻き出しきれない或る程度大きな埃を掻き出すことができ、一層汚れの拭き取り能力が向上する。
【００１２】
本発明の清掃用具においては、シート様繊維束が、複数枚のシート様繊維束を重ねて形成されていてもよい。
この清掃用具によれは、シート様繊維束として、シート様繊維束を複数枚重ね合わせたものを用いることで、より多数の繊維によって効率よく埃を掻き出すことができる。
【００１３】
本発明の清掃用具においては、シート様繊維束は、多数の繊維からなる第１シート様繊維束と、第１シート様繊維束を構成する繊維よりも太い繊維からなる第２シート様繊維束とを備えて構成されてもよい。
【００１４】
この清掃用具では、シート様繊維束は、第１シート様繊維束と、この第１シート様繊維束を構成する繊維よりも太い繊維からなる第２シート様繊維束とを備えており、第１シート繊維束と第２シート繊維束との間でコシの強さを違えるようにすることができる。すなわち、シート様繊維束を構成する繊維の太さが太くなるとコシが強くなるから、第２シート様繊維束のコシを強いものとすることができる。また、シート様繊維束を構成する繊維の太さが細いほど、シート様繊維束にした際に、その繊維束のきめが細かくなる。これらのことから、この清掃用具では、コシの強い第２シート様繊維束がより効率よく埃を掻き出し、きめの細かい第１シート様繊維束が、掻き出された埃を効率よく取り込むように機能することができ、効率的な清掃を行うことができる。
【００１５】
本発明の清掃用具において、シート様繊維束は、多数の繊維からなる第１シート様繊維束と、第１シート様繊維束を構成する繊維よりも太く且つ短い繊維からなる第２シート様繊維束とを部分的に接合してなる構成を備えてもよい。
【００１６】
シート様繊維束を構成する繊維の長さが短いと繊維のコシが強いものとなるなるから、第２シート様繊維束のコシを一層強いものとすることができる。
したがって、この清掃用具は、第１シート様繊維束を構成する構成繊維よりも第２シート様繊維束を構成する構成繊維のほうが、太くかつ短いためコシが強く、このコシの強い繊維が細かな隙間から埃をより強力に掻き出し、掻き出された埃を細い繊維が取り込むよう機能することができて、一層効果的な清掃を行うことができるとともに、太い繊維が細い繊維相互の絡み合いの防止に寄与することができる。
【００１７】
本発明の清掃用具において、清掃部は、シート重ね合わせ体が折り曲げられて対面するシート様繊維体の間に、第１シート様繊維束及び／又は第２シート様繊維束とからなる繊維束体を介在させて、繊維束体とシート様繊維束とを互いに当接する位置で接合してなるものでもよい。
【００１８】
この清掃用具によれば、嵩高状部の上端よりも上方に繊維束体を構成する繊維の先端が存在するように構成することができる。したがって、この清掃用具によれば、繊維束体によって嵩高状部よりも上方にある埃などを効率よく掻き出すことができるようになる。
【００１９】
本発明の清掃用具において、シート重ね合わせ体は、シートに対してシート様繊維束を挟んで反対側の面を覆うように接合部の位置でシート体をシート様繊維束に接合してなるものでもよい。
この清掃用具によれば、シートとシート体とでシート様繊維束を挟持するため、シート様繊維束全体としての形態を安定化させ、清掃用具を全体としてまとまり良いものとすることができる。
【００２０】
本発明の清掃用具において、シート様繊維束は、複数枚の第１シート様繊維束、及び／又は、複数枚の第２シート様繊維束を備えてもよい。
この清掃用具によれば、シート様繊維束を複数枚用いることで、より多数の繊維によって効率よく埃を掻き出すことができる。
【００２１】
本発明の清掃用具において、シート様繊維束は、第１シート様繊維束と第２シート様繊維束を交互に重ね合わせて形成されていてもよい。
この清掃用具によれば、シート様繊維束は、第２シート様繊維束を構成する腰の強い太い繊維がより効率よく埃を掻き出し、第１シート様繊維束を構成する細い繊維が掻き出された埃をより取り込むよう機能するため、清掃部は効果的に清掃を行うことができるものになる。また、このようなシート様繊維束は、太い繊維が細い繊維相互の絡み合いの防止に効果的に寄与するよう機能できる。
【００２２】
本発明の清掃用具において、シートは、不織布よりなるものでもよい。
この清掃用具は、シートが短冊状部を有するような場合、短冊状部を構成する不織布の繊維に、細かな埃を効率よく取り込むことができるようになる。そして、この清掃用具では、シートの短冊状部の配置位置の内側にシート様繊維束が配されており、シート様繊維束を構成する繊維が細かな埃を掻き出し、短冊状部を構成する不織布の繊維が、その掻き出された埃を効率よく取り込むことができる。
【００２３】
また、本発明は、繊維をシート様に束ねたシート様繊維束と、短冊状部を有するシートとを重ね合わせて部分的に接合してシート重ね合わせ体を形成し、次いでシート重ね合わせ体の接合部において、シート様繊維束が折り重なるように接合部に沿うように折り曲げて嵩高部形成部となした後、短冊状部を有するシートが嵩高部形成部を包むように相対向するシート様繊維束側に折り返し、更にシート様繊維束側が内側となるように折り曲げ、シート様繊維束相互の当接面が接合するように、シート様繊維束と短冊状部を有するシートとを接合一体化することを特徴とする清掃用具における清掃部の製造方法である。
【００２４】
この本発明における清掃部の製造方法によれば、狭い隙間における清掃にも充分な清掃能力を発揮できる清掃用具を容易に提供することができるようになる。
【００２５】
さらに、本発明は、短冊状部を有するシート形成用の長尺なシートに短冊形成用の切れ目を入れる工程、上記短冊形成用の切れ目を入れた長尺なシートと、繊維をシート様に束ねた長尺なシート様繊維束と、シート様繊維束を支える基材シートとを順に重ね合わせて形成した長尺なシート重ね合わせ体を、シートの幅方向に沿って接合して接合部を形成する工程、接合部と接合部との間で長尺なシート重ね合わせ体を切断して清掃部形成用重ね合わせシートを得る工程、清掃部形成用重ね合わせシートにおける短冊状部を有するシートの前記接合部を挟む片側部分を切除するとともに、基材シートの前記接合部を挟む両側部分を切除し、次いで接合部に沿ってシート様繊維束が折り重なるように折り曲げ、接合部が筒状になるように接合して嵩高部形成部を形成する工程、嵩高部形成部を形成した清掃部形成用重ね合わせシートを、シート様繊維束側が内側となるように折り曲げてシート様繊維束相互の当接面が接合するように一体化されて、嵩高部形成部の一端側に開口した柄挿入口を形成する工程、とからなることを特徴とする清掃用具における清掃部の製造方法である。
【００２６】
この本発明における清掃部の製造方法によれば、狭い隙間における清掃にも充分な清掃能力を発揮できる清掃用具を容易に提供することができ、また、清掃用具が短冊状部を有するシートを備えるような場合、柄挿入部を嵩高に形成することを維持しつつも、柄挿入部の周囲をシート様繊維束が取り巻くように形成することができ、より頑丈な柄挿入部を形成することができるようになる。
【図面の簡単な説明】
【００２７】
【図１】本発明の清掃用具の一例を示す分解斜視図である。
【図２】本発明の清掃用具の製造工程におけるシート重ね合わせ体を示す斜視図である。
【図３】図２のＩ−Ｉ線断面図である。
【図４】本発明の清掃用具の製造工程におけるシート重ね合わせ体を示す斜視図である。
【図５】本発明の清掃用具の製造工程におけるシート重ね合わせ体を示す斜視図である。
【図６】本発明の清掃用具の他の実施例を示す斜視図である。
【図７】本発明の清掃用具の一例を示す分解斜視図である。
【図８】図７のII−II線に沿う縦断面図である。
【図９】本発明の清掃用具における清掃部の製造方法の一工程を示す斜視図である。
【図１０】本発明の清掃用具における清掃部の製造方法の他の一工程を示す斜視図である。
【図１１】本発明の清掃用具における清掃部の製造方法の他の一工程を示す斜視図である。
【図１２】本発明の清掃用具における清掃部の製造方法の他の一工程を示す斜視図である。
【図１３】本発明の清掃用具における清掃部の製造方法の他の一工程を示す斜視図である。
【図１４】本発明の清掃用具における清掃部の他の製造方法の工程略図である。
【図１５Ａ】図１４のＡ矢視図である。
【図１５Ｂ】図１４のＢ矢視図である。
【図１５Ｃ】図１４のＣ矢視図である。
【図１６】図１５ＢのX-X線に沿う縦断面図である。
【図１７】図１５ＣのXI-XI線に沿う縦断面図である。
【図１８】図１７に示す清掃部形成用重ね合わせシートから、接合部を挟む片側の不織布と接合部を挟む両側の支持シートとをミシン目から切除した状態を示す縦断面図である。
【図１９】図１８に示す清掃部形成用重ね合わせシートを、接合部に沿って折り曲げた状態を示す斜視図である。
【図２０】図１９に示す折り曲げた清掃部形成用重ね合わせシートの接合部に嵩高筒状の柄挿入部が形成されるように接合した状態を示す縦断面図である。
【図２１】図２０に示す柄挿入部を形成した清掃部形成用重ね合わせシートを折り曲げた状態を示す斜視図である。
【図２２Ａ】本発明の清掃用具の柄部の一態様を示す正面図である。
【図２２Ｂ】本発明の清掃用具の柄部の一態様の平面図である。
【図２３】柄部の折り畳み状態における正面図である。
【図２４Ａ】柄部の折り曲げ機構部の縦断面図である。
【図２４Ｂ】図２２ＡのＤ−Ｄ線に沿う縦断面図である。
【図２５Ａ】柄部の他の例を示す態様を示す平面図である。
【図２５Ｂ】図２５Ａの柄部のグリップ部を伸ばした状態を示す平面図である。
【図２６Ａ】図２５ＡのＥ−Ｅ線に沿う縦断面図である。
【図２６Ｂ】図２６Ａの突起が押し込まれた状態を示す縦断面図である。
【図２７Ａ】図２５Ａの柄部のグリップ部と支持棒との結合部を示す要部側面図である。
【図２７Ｂ】図２７Ａのグリップ部のストッパーを移動させた状態を示す要部側面図である。
【図２８Ａ】図２７Ａのストッパー付近の要部縦断面図である。
【図２８Ｂ】図２７Ｂのストッパー付近の要部縦断面図である。
【図２９Ａ】図２７Ａ結合部付近の要部縦断面図である。
【図２９Ｂ】図２７Ｂ結合部付近の要部縦断面図である。
【発明を実施するための最良の形態】
【００２８】
本発明の清掃用具は、清掃部と柄部とからなり、清掃部は、シート様繊維束とシートとを接合して接合部を形成したシート重ね合わせ体を接合部に沿うように折り曲げて嵩高部形成部を形成し、該嵩高部形成部を形成したシート重ね合わせ体が嵩高部形成部を対面させるように折り曲げられて対向するシート様繊維束相互の当接面が接合するように一体化されて形成され、前記嵩高部形成部の一端側に開口した柄挿入口を有し、嵩高部形成部内部に形成された柄挿入部に柄部の支持棒を挿入するように構成している。【００２９】
清掃部に用いるシートとしては、紙、合成樹脂シート、不織布等が挙げられるが、不織布が好ましい。不織布としては、スパンレース不織布、スパンボンド不織布、サーマルボンド不織布、エアスルー不織布、ポイントボンド不織布等を用いることができるが、スパンボンド不織布、サーマルボンド不織布が好ましい。不織布を構成する繊維としては、天然繊維、合成繊維、複合繊維等が挙げられるが、熱融着性のある合成繊維や複合繊維が好ましい。不織布としては、坪量２０ｇ／ｍ2〜１００ｇ／ｍ2程度のものが好ましい。尚、熱融着性のない素材からなるシートの場合でも、ホットメルト型接着剤等の熱接着性材料がラミネートされることにより、熱融着によるシートとシート様繊維束との接合が可能となる。シートは、１枚に限らず、２枚以上を重ね合わせて用いることができる。【００３０】
シート様繊維束は、多数の繊維を束ねてシート様に形成したものであり、構成繊維が個々にばらけない程度に多数の繊維が纏められたものを用いることができるが、必要に応じて融着等により部分的に繊維相互が結合されているものでも良い。シート様繊維束は、例えば多数の長繊維をシート様に束ねたものを適宜間隔ごとに長手方向と直交する方向に接合した後、隣合う接合部の中間位置で切断する等の方法で得ることができる。
シート様繊維束を構成する繊維としては、例えば綿、毛等の天然繊維、ポリエチレン、ポリプロピレン、ポリエチレンテレフタレート、ナイロン、ポリアクリル等の合成繊維、芯鞘型繊維、海島型繊維、サイドバイサイド型繊維等の複合繊維等が用いられるが、熱融着性のある合成繊維や複合繊維が好ましく、特に芯がポリプロピレン、鞘がポリエチレンからなる芯鞘型複合繊維は、鞘を構成するポリエチレンの優れた熱融着性と、芯を構成するポリプロピレンの腰の強さとを併せ持つため好ましい。【００３１】
シート様繊維束を構成する繊維は０．０１ｍｍ〜０．３ｍｍ程度の太さのものが使用される。シート様繊維束７は、太さが同一の繊維のみで構成されていても、太さが異なる２以上の繊維で構成されていても良く、同一種類の繊維のみで構成されていても、種類の異なる２以上の繊維で構成されていても良い。
シート様繊維束は、構成する繊維の太さ、種類が同一であるか異なるかにかかわらず、色の異なる繊維を用いて構成することができる。【００３２】
またシート様繊維束は、２枚以上を重ね合わせて用いることができる。
シート様繊維束が２枚以上重ね合わされて用いられる場合、太さ、繊維の色や種類の異なるシート様繊維束を適宜組み合わせて用いることができる。色の異なるシート様繊維束を重ねて用いると、本発明清掃用具の意匠性を向上することができる。繊維の太さや繊維の種類、色等の異なるシート様繊維束を複数枚重ねて用いる場合、重ね合わせる枚数に特に制限はないが、通常は２枚〜１０枚が好ましい。【００３３】
清掃用具に複数枚のシート様繊維束が重ね合わされて用いられる場合、本発明の清掃用具においては、シート様繊維束が、多数の繊維からなる第１シート様繊維束と、第１シート様繊維束を構成する繊維よりも太く且つ短い繊維からなる第２シート様繊維束とを部分的に接合してなる構成を備えていてもよい。【００３４】
次に、そのような清掃用具につき、図面を参照にしつつ詳細に説明する。
図１は清掃部１と、柄部２とからなる本発明清掃用具の一例を示す分解斜視図である。
柄部２はグリップ部１４と支持棒５を有し、清掃部１と柄部２とは、清掃部１の嵩高部形成部３位置の一端側に開口した柄挿入口４より、柄部２の支持棒５を嵩高部形成部３位置に形成された柄挿入部６内に挿入することで一体化される。尚、図１において４５は、支持棒５が柄挿入部６から抜け落ちるのを防止するための滑り止め凸部である。【００３５】
清掃部１は、シート様繊維束７とシート９とにより構成されている。【００３６】
清掃部１において、図５に示すように、シート様繊維束７は、繊維を纏めてシート様に構成してなる第１シート様繊維束７ａと、第１シート様繊維束７ａを構成する繊維よりも太さが太い（繊度が大きい）繊維を纏めてシート様に構成している第２シート様繊維束７ｂとを備える。こうすると、腰の強い太い繊維が埃を掻き出し、掻き出された埃を細い繊維が取り込むよう機能するため、効果的に清掃を行うことができる。【００３７】
第１シート様繊維束を構成する繊維の太さは、直径１０μｍ〜５０μｍのものが好ましい。第２シート様繊維束を構成する繊維の太さは、第１シート様繊維束を構成する繊維の太さよりも太ければ良いが、直径６０μｍ〜３００μｍのものであると、第２シート繊維束７ｂのコシが第１シート様繊維束７aよりも適度に強くなって好ましい。【００３８】
この清掃用具では、第１シート様繊維束７ａと第２シート様繊維束７ｂは、第１シート様繊維束７ａを構成する繊維よりも、第２シート様繊維束７ｂを構成する繊維の方を短くして構成されている。
第２シート要繊維束７bを構成する繊維の長さは、第１シート様繊維束７ａを構成する繊維の長さより短ければ良いが、第１シート様繊維束７ａを構成する繊維よりも１ｍｍ〜１０ｍｍ程度短いことが好ましい。【００３９】
また、シート様繊維束７が第１シート様繊維束と第２シート様繊維束を交互に重ね合わせて構成される場合、シート様繊維束７は、第２シート様繊維束７bを構成する腰の強い太い繊維がより効率よく埃を掻き出し、第１シート様繊維束７aを構成する細い繊維が掻き出された埃をより取り込むよう機能するため、清掃部１は効果的に清掃を行うことができるものになる。また、このようなシート様繊維束７は、太い繊維が細い繊維相互の絡み合いの防止に寄与するよう機能できるため好ましい。【００４０】
第１シート様繊維束７ａを構成する繊維としては、上記したシート様繊維束と同様に、例えば綿、毛等の天然繊維、ポリエチレン、ポリプロピレン、ポリエチレンテレフタレート、ナイロン、ポリアクリル等の合成繊維、芯鞘型繊維、海島型繊維、サイドバイサイド型繊維等の複合繊維等が用いられるが、熱融着性のある合成繊維や複合繊維が好ましく、特に芯がポリプロピレン、鞘がポリエチレンからなる芯鞘型複合繊維は、鞘を構成するポリエチレンの優れた熱融着性と、芯を構成するポリプロピレンの腰の強さとを併せ持つため好ましい。第２シート様繊維束７ｂを構成する繊維としては、例えば、ポリプロピレン、ポリエチレンテレフタレート、ＰＢＴ等の熱可塑性の繊維等が用いられる。第１シート様繊維束７ａ、第２シート様繊維束７ｂは、同一種類の繊維のみで構成されていても、種類の異なる２以上の繊維で構成されていてもよく、また構成する繊維の種類や太さの異同に関係なく色の異なる繊維を用いて構成することができる。また第１シート様繊維束７ａ、第２シート様繊維束７ｂは、夫々２枚以上重ね合わせて用いられてもよい。【００４１】
清掃部１は、シート様繊維束７とシート９とを重ね合わせて形成されるシート重ね合わせ体において、シート様繊維束７とシート９との重なりあう領域部分に接合部１０を形成し、このシート重ね合わせ体をシート９側を内側にして折り曲げて（図４）シート様繊維束７同士を対面させて接合部１０に沿うように嵩高部形成部３を形成し、更に嵩高部形成部３を形成したシート重ね合わせ体を長手方向一端側を他端側へ更に折り曲げ、この折り曲げにより互いに対向するシート様繊維束７相互の当接面の嵩高部形成部３付近を接合して接合部１１を形成して一体化されている（図５）。【００４２】
この清掃用具における清掃部１は、次のように製造できる。
図２、図３に示すように、シート様繊維束７と、シート９とを重ね合わせ、両者重なり合う領域の部分１２の位置で接合する（便宜上、シート様繊維束７とシート９とを接合する部分１２の領域を、斜線を付して示す。）。接合方法としては熱融着、接着、縫着等の方法が挙げられるが、シート様繊維束７とシート９が熱融着可能な素材から構成されている場合には、加熱ローラ等により加熱加圧することで容易に接合一体化が可能な熱融着により接合することが好ましい（以下、シート様繊維束７とシート９が熱融着可能な素材よりなるものとして説明する。）。シート様繊維束７とシート９とを接合する部分１２は、シート様繊維束７の繊維方向と直交する方向に、シート様繊維束７の中心部を挟んだ部分に形成される。そして、図３に示すように、シート様繊維束７とシート９とが重ね合わさるとともに部分１２で接合して、接合部１０の形成されたシート重ね合わせ体１３ａが構成される。接合部１０の形成されたシート重ね合わせ体１３aは、シート９を内側に向けて折り曲げられるとともに、接合部１０の形成される方向に沿うように嵩高部形成部３が形成される（図４）。【００４３】
次いでシート重ね合わせ体１３ｂの長手方向一端側を他端側へ折り曲げてシート重ね合わせ体１３ｃが形成され、この折り曲げにより対面するシート様繊維束７を互いに当接する位置で接合して接合部１１を形成することで清掃部１が得られる。この場合、対面し合うシート様繊維束７を嵩高部形成部３近傍位置で互いに接合されることが好ましい（図５）。この際に熱融着法を採用すると、対面するシート様繊維束７相互間の他、シート様繊維束７とシート９との間を同時に接合することができる。【００４４】
また、本発明の清掃用具における清掃部１は、シート重ね合わせ体１３ｂの長手方向一端側を他端側へ折り曲げてシート重ね合わせ体１３ｃを形成する際、この折り曲げによって対面するシート様繊維束７の間に、第１シート繊維束７aや第２シート繊維束７bを重ね合わせてなる繊維束体７０を、繊維束体７０の少なくとも一方の繊維方向先端部が嵩高部形成部３より上方に位置するように介在させて構成してもよい（図６）。この場合、清掃部１は、嵩高部形成部３の上下いずれの方向にも第１シート様繊維束、第２シート様繊維束の繊維方向先端部が向くように構成しているため、清掃用具は、シート様繊維体７による塵や埃の捕捉と同時に、嵩高部形成部３よりも上方位置にある塵や埃を繊維束体７０によって捕捉することができるものとなる。
なお、繊維束体７０は、第１シート様繊維束７ａと第２シート様繊維束７ｂの重ね合わせる枚数は限定されない。繊維束体７０が、多数枚の第１シート様繊維束７ａや第２シート様繊維束７ｂを重ね合わせてなる場合、清掃用具は、嵩高部形成部３よりも上側に、第１シート様繊維束７ａや第２シート様繊維束７ｂの構成繊維が多数存在する状態を形成でき、嵩高部形成部３よりも上側にある塵や埃をより効率良く捕捉できる。
また、繊維束体７０が、第１シート繊維束７ａと第２シート繊維束７ｂとが交互に重ね合わさって構成していると、既述したように、シート様繊維束７は、第２シート様繊維束７bを構成する腰の強い太い繊維が効率よく埃を掻き出し、第１シート様繊維束７aを構成する細い繊維が掻き出された埃を取り込むよう機能するため、清掃部１は効果的に清掃を行うことができるものになるため好ましい。【００４５】
また、本発明の清掃用具における清掃部１は、シート様繊維束７の外側にシート体を重ね合わせて構成しても良い。この場合、このシート体とシート９とでシート様繊維束７を挟み込むようにシート体を敷設してシート重ね合わせ体１３ａを形成するとともに、シート重ね合わせ体１３ａを上記同様に折り曲げることにより清掃部１を製造することができる。なお、シート体としては、不織布が好ましい。この場合、シート体とシート様繊維束７とシート９が熱融着されることで容易に接合一体化してシート重ね合わせ体１３ａを形成することができる。
この清掃部１は、シート体とシート９によってシート様繊維束７を挟み込むことによって、シート様繊維束７全体としての形態を安定化させ、清掃用具を全体としてまとまり良いものとすることができる。【００４６】
本発明の清掃用具における清掃部は、シートとして、一側辺に短冊状部を備えたものを用いてもよい。
次に、その場合における本発明の清掃用具について図面を参照しつつ詳細に説明する。【００４７】
清掃用具は、図７に示すように構成される。
図７は、本発明の清掃用具における他の実施例を示す分解斜視図である。
この清掃用具は、シート様繊維束７とシート９とを備えてなる清掃部１と、グリップ部１４と支持棒５を有する柄部２とからなり、清掃部１の嵩高部形成部３位置の一端側に開口した柄挿入口４より、柄部２の支持棒５を嵩高部形成部３位置に形成された柄挿入部６内に挿入することで清掃部１と柄部２とを一体化可能に構成されている。図７において、４５は、支持棒５が柄挿入部６から抜け落ちるのを防止するための滑り止め凸部である。【００４８】
この清掃用具における、清掃部１は、シート様繊維束７と短冊状部８を有するシート９とを接合部１０において部分的に接合して形成して接合部１０を嵩高部形成部３としたシート重ね合わせ体を、シート様繊維束７側が内側になるように折り曲げ、相互に対面するシート様繊維束７の嵩高部形成部３付近に接合部１１が設けられて一体化されている。【００４９】
この清掃用具においては、シート様繊維束７が、複数枚のシート様繊維束を重ねて形成されていてもよい。その場合、シート様繊維束７は、上記したように、多数の繊維からなる第１シート様繊維束７ａと、第１シート様繊維束７ａを構成する繊維よりも太い繊維（繊度が大きい繊維）からなる第２シート様繊維束７ｂとを備えて構成されてもよい。また、上記したように、第１シート様繊維束を構成する繊維の太さは、直径１０μｍ〜５０μｍのものが好ましく、第２シート様繊維束を構成する繊維の太さは、第１シート様繊維束を構成する繊維の太さよりも太ければ良いが、直径６０μｍ〜３００μｍのものが好ましい。さらに、シート様繊維束７は、第１シート様繊維束と第２シート様繊維束を交互に重ね合わせて構成してもよい。この場合、シート様繊維束７は、第２シート様繊維束７bを構成する腰の強い太い繊維がより効率よく埃を掻き出し、第１シート様繊維束７aを構成する細い繊維が掻き出された埃をより取り込むよう機能するため、清掃部１は効果的に清掃を行うことができるものになり、また、太い繊維が細い繊維相互の絡み合いの防止に寄与するよう機能できるため好ましい。【００５０】
この清掃用具の清掃部１においては、シート９における短冊状部８の長さは、２０〜１００ｍｍ程度、幅０．５〜５ｍｍ程度であることが好ましい。
短冊状部８を有するシート９は、１枚に限らず、２枚以上を重ね合わせて用いることができる。短冊状部８を有するシート９を複数枚重ね合わせて用いる場合、同一のシートを重ね合わせる場合に限らず、材質や色等の異なるシート９を重ねて用いることができる。シート９の重ね合わせ枚数には特に制限はないが、通常２枚〜５枚が好ましい。【００５１】
次に、この清掃用具における清掃部１の製造方法について説明する。
図９に示すように、シート様繊維束７と、一側辺に短冊状部８を有するシート９とを重ね合わせ、両者の重なり部の一部分１２を接合する（便宜上、シート状繊維束７と短冊状部８を有するシート９とを接合する部分１２に斜線を付して示す。）。接合方法としては熱融着、接着、逢着等の方法が挙げられるが、シート様繊維束７、短冊状部８を有するシート９が熱融着可能な素材から構成されている場合には、加熱ローラ等により加熱加圧することで容易に接合一体化が可能な熱融着により接合することが好ましい。シート様繊維束７と短冊状部８を有するシート９とを接合する部分１２は、シート様繊維束７の繊維方向と直交する方向に、シート様繊維束７の中心部を挟んだ部分に相当する。次いで、図１０に示すようにシート様繊維束７と短冊状部８を有するシート９との重なり部の一部である部分１２で接合したシート重ね合わせ体１３ａを、シート様繊維束７の繊維方向と直交する中心部付近において折り曲げてシート様繊維束７を対向させ、前記重なり部の一部１２で接合形成された接合部１０を嵩高部形成部３となしたシート重ね合わせ体１３ｂを形成する。【００５２】
次いで図１１に示すように、嵩高部形成部３を形成したシート重ね合わせ体１３ｂにおける短冊状部８を有するシート９を嵩高部形成部３方向に折り曲げ、シート９の嵩高部形成部３との当接部を接合する。この際、熱融着法を採用すると、繊維束７における嵩高部形成部３の内面側も同時に接合される。シート９の嵩高部形成部３との当接部を接合した後、図１２に示すようにシート９を嵩高部形成部３を包むように折り返してシート重ね合わせ体１３ｃを形成する。このシート重ね合わせ体１３ｃを、シート様繊維束７側が内側になるように折り曲げ（図１３）、折り曲げたシート様繊維束７の当接面が接合されるように、シート様繊維束７と短冊状部８を有するシート９とを接合一体化することで清掃部１が得られるが、シート様繊維束７当接面の嵩高部形成部３のすぐ近くの位置が接合されるように接合を行うことが好ましい。この際に熱融着法を採用すると、シート様繊維束７相互間、シート様繊維束と短冊状部８を有するシート９とを同時に接合することができる。【００５３】
次に、清掃部１の他の製造方法について説明する。図１４は清掃部１を製造するための異なる方法の工程を示し、短冊状部を有するシートを３枚重ねた不織布で構成する例について説明する。【００５４】
図１４において４７ａ、４７ｂ、４７ｃは長尺な不織布、４８は長尺なシート状繊維束、４９はシート様繊維束を支持するための長尺な基材シートを示す。基材シート４９はシート状であれば特に材質に制限はないが、不織布が好ましい。各不織布４７ａ、４７ｂ、４７ｃは重ね合わせられて移送され、カットロール５０によって不織布４７ａ〜４７ｃの重ね合わせ体５１に、長手方向に沿った短冊状部形成用の複数の切れ目５２が形成される（図１５Ａ）。カットロール５０の周面には、切れ目５２を形成するための刃が周面に沿って複数設けられているが、刃の欠損部を設けておくことにより、図１５Ａに示すように、不織布重ね合わせ体５１に非連続状の切れ目５２を形成することができる。非連続状の切れ目５２を設けることにより、不織布重ね合わせ体５１のシート形状が保たれる。次いで不織布重ね合わせ体５１と、シート状繊維束４８、基材シート４９とを重ね合わせてシート重ね合わせ体５３を形成するが、シート重ね合わせ体５３を形成する前に、不織布重ね合わせ体５１にミシン目ロール５４によって、図１５Ｂに示すようにミシン目５５を形成しておくことが好ましい。また基材シート４９にも、シート重ね合わせ体５３を形成する前にミシン目ロール５６によってミシン目５７（図１７）を設けておくことが好ましい。【００５５】
次いでシート重ね合わせ体５３を構成する不織布４７ａ〜４７ｃ、シート様繊維束４８、基材シート４９を幅方向に沿って接合し、図１５Ｂに示すように接合部５８を重ね合わせ体５３の長手方向に間欠的に設ける。図１５Ａに示すように不織布重ね合わせ体５１に非連続状の切れ目５２を形成する場合、上記接合部５８は切れ目非形成部６０に設けることが好ましい。接合部５８は、シールロール５９によって加熱、加圧してヒートシールする方法で形成することが好ましい。尚、不織布重ね合わせ体５１に設ける前記ミシン目５５は、切れ目５２の非形成部６０の、接合部５８の一方側に位置するように設けることが好ましい。また基材シート４９に設けるミシン目５７は、接合部５８を挟む両側に位置するように形成することが好ましい。シート重ね合わせ体５３を構成するシート様繊維束４８の幅は、不織布４７ａ〜４７ｃ及び基材シート４９の幅よりも幅狭にしておくと、図１６に示すように接合部端部５８ａにシート様繊維束４８端部が露出することがなく、接合部５８を嵩高筒状にして形成される柄挿入部６に、後述する柄部の支持棒を挿入する作業が容易となるため好ましい。【００５６】
接合部５８を形成したシート重ね合わせ体５３は、図１５Ｃに示すように切断ロール６１によって接合部５８と接合部５８との間で切断することにより、清掃部形成用重ね合わせシート６２が形成される（図１７）。次いで図１８に示すように、清掃部形成用重ね合わせシート６２の、不織布４７ａ〜４７ｃの接合部５８を挟む片側部分をミシン目５５より切除するとともに、基材シート４９の接合部５８を挟んだ両側部分をミシン目５７より切除する。尚、図１８において４９ａは、切除した基材シート４９の残り部を示す。【００５７】
不織布４７ａ〜４７ｃの接合部５８を挟む片側部分と、基材シート４９の接合部５８を挟む両側部分とを切除した清掃部形成用重ね合わせシート６２は、図１９に示すようにシート様繊維束４８が折り重なるように接合部５８に沿って折り曲げた後、図２０に示すように接合部５８が、嵩高筒状部６３となるように接合して柄挿入部６を形成する。以上のようにして柄挿入部６を形成した後、図２１に示すように、清掃部形成用重ね合わせシート６２を、シート様繊維束４８側が内側になるように折り曲げ、折り曲げ部相互を接合することにより、清掃部１を得ることができる。この製造方法と、先に示した第１の製造方法とでは、製造工程中で柄挿入部６を形成する順序は異なるが、得られる清掃部１に実質的な構造上の差異はない。
尚、上記した第２の方法は、３層の不織布４７ａ〜４７ｃと、１層のシート様繊維束４８を重ね合わせる場合について説明したが、１層や２層であっても４層以上を重ねても良く、シート様繊維束４８は２層以上重ねても良い。【００５８】
上記のようにして製造した清掃部１の柄挿入部６に、柄部２の支持棒５を挿入して清掃部１に柄部２を取り付けることにより、本発明の清掃用具が得られる。清掃部１は柄部２に対して着脱自在に取り付けられる。柄部２の材料として、プラスチック、金属、木材などを用いることができるが、軽量、安価な点でプラスチックが好ましい。プラスチックを材料として用いる場合、ポリエチレン系樹脂やポリプロピレン系樹脂等のポリオレフィン系樹脂が、成形が容易である点で好ましい。【００５９】
次に、柄部２の好ましい例について、図２２Ａ、図２２Ｂ〜図２９Ａ、図２９Ｂにより説明する。図２２Ａ、図２２Ｂ〜図２４Ａ、図２４Ｂは本発明の清掃用具の柄部２の好ましい態様の一例を示す。柄部２は支持棒５とグリップ部１４とから構成される。柄部２に設けられている支持棒５、５の間隔は、柄挿入口４、４の間隔より広めに形成されていることが好ましい。このように構成されていると、支持棒５、５を柄挿入部６に挿入する際、支持棒５、５間隔は狭められ、柄挿入部６への挿入後は、支持棒５、５の復元力による外方への力が働き、支持棒５、５は柄挿入部６内に確実に保持され、清掃時に支持棒５、５が柄挿入部６から容易に離脱することはない。前記二つの支持棒５、５の外側には、図２２Ａ、Ｂに示すように、山形状の切欠部１５が設けられている。該切欠部１５の支持棒５先端側の切欠角度αは大きい角度が好ましく、また切欠部１５のグリップ部１４側の切欠角度βも大きい角度が好ましい。かかる切欠部１５が設けられていると、二つの支持棒５、５を柄挿入部６に容易に挿入できると共に、支持棒５、５が柄挿入部６から離脱し難くなり、清掃時の柄挿入部６からの支持棒５、５の離脱を更に確実に防止することができる。【００６０】
柄部２は支持棒５とグリップ部１４との間で折り曲げ可能であると共に、支持棒５とグリップ部１４を伸ばした状態において両者が固定可能に構成されている。図２４Ａ、Ｂに示すように支持棒５の根元に受け部１６が設けられ、グリップ部１４の先端に挿入部１７が設けられ、受け部１６の内部に挿入部１７と嵌合可能な凹部１８が設けられ、受け部１６に形成されている凹部１８内の側壁１９と側壁２０に軸受穴２１が設けられており、挿入部１７の側壁２２と側壁２３に設けた軸２４を軸受穴２１に軸支することにより、グリップ部１４が回転可能に構成されている。受け部１６の天井２５には係止突起２６を設け、挿入部１７の上面２７には係止突起２６と嵌合可能な係止凹部２８を設ける。グリップ部１４を軸２４を中心に回転させて、挿入部１７を凹部１８内に入れ、且つ挿入部１７の係止凹部２８に凹部１８内の係止突起２６を嵌合させる。これによりグリップ部１４と支持棒５が伸びた状態となる。上記とは反対方向にグリップ部１４を回転させれば、係止突起２６と係止凹部２８との嵌合が外れてグリップ部１４と支持棒５とを折り曲げて畳むことができる（図２３）。
尚、受け部１６をグリップ部１４側に設け、挿入部１７を支持部５側に設けてもよく、また係止突起２６を挿入部１７側に設け、係止凹部２８を受け部１６側に設けてもよい。【００６１】
図２５Ａ、Ｂは本発明清掃用具に用いられる柄部２の他の態様を示すものである。図２５Ａに示す態様の柄部２は、支持棒５の柄挿入部６からの抜けを防止するために上記例で示した切欠部１５に変えて滑り止め凸部４５を設けてある。この柄部２は、２本の支持棒５、５と、グリップ部１４とが、結合部２９において折り曲げ可能であるとともに、グリップ部１４が伸長可能に構成されている。図２５Ａ、Ｂに示す柄部２におけるグリップ部１４は、空隙を有する外装部４６と、外装部４６の空隙内に収納される芯部３０とからなり、芯部３０と外装部４６が長手方向にスライド可能に構成され、外装部４６と芯部３０を長手方向にスライドさせることでグリップ部１４が伸びて長くなるように構成されている。芯部３０の長手方向の端部付近には突起３１が設けられ、外装部４６の長手方向両端部付近には上記突起３１が嵌合する嵌合孔３２、３３が設けられている。図２５Ａに示すようにグリップ部１４を縮めた状態においては、芯部３０の突起３１は外装部４６の後端側の嵌合孔３３に嵌合している。また図２５Ｂに示すようにグリップ部１４を伸ばして行くと、外装部４６の先端側の嵌合孔３２に芯部３０の突起３１が嵌合して固定される。突起３１と嵌合孔３２、３３との嵌合により、グリップ部１４は所定長さで固定される。グリップ部１４を引き伸ばす場合、突起３１と嵌合孔３２との嵌合によってグリップ部１４を引き伸ばしすぎて、外装部４６から芯部３０が外れてしまうのを防止できる。図２６Ａに示すように、芯部３０の突起３１が外装部４６の嵌合孔３２（あるいは３３）に嵌合している状態では、芯部３０に対して外装部４６が簡単に動かないように係止されている。芯部３０の端部の突起３１を設けた部分の厚みは図２６Ｂに示すように薄肉に形成され、グリップ部１４を伸縮させる場合には、突起３１を指で押すことで、突起３１は外装部４６内の空隙部に容易に押し込まれて突起３１と嵌合孔３２（或いは３３）との係止状態が容易に解除され、芯部３０と外装部４６とを相互にスライドさせることが可能となる。【００６２】
図２５Ａ、Ｂに示す柄部２は、グリップ部１４と支持棒５との結合部２９において、折れ曲がって二つ折り状態とできるように形成され、使用時には両者が伸ばされた状態を維持して簡単に折り曲がることがないように折れ防止機能が設けられている。折れ防止機構は、図２７Ａ、Ｂに示すように、芯部３０の長手方向にスライド可能に形成されたストッパー３４と、支持棒５の結合部２９の側壁３６上部に延設された係止用爪片３７とから構成され、ストッパー３４に係止用爪片３７が係止することで、使用時における柄部２の折れが防止される。図２７Ａに示すように、ストッパー３４を芯部３０の長手方向にスライドさせて結合部２９に押し付けられた状態とし、係止用爪片３７をストッパー３４に係止させることにより、グリップ部１４と支持棒５とを伸ばした状態でグリップ部１４が回動しないように固定することができる。これに対し図２７Ｂに示すように、ストッパー３４をグリップ部１４側にスライドさせると、ストッパー３４への係止用爪片３７の係止が解除され、結合部２９の回転軸３８を中心としてグリップ部１４を回転させることが可能となり、ほぼ１８０°グリップ部１４を回転させてコンパクトな二つ折り状態にすることができる。上記ストッパー３４には、係止用爪片３７との係止が外れる方向にスライドさせた際に、必要以上に移動しないように移動位置決め機構が形成されている。この移動位置決め機構は、例えば図２８Ａ、Ｂに示すように、芯部３０の上面に突起３９を設けるとともに、結合部２９側が閉じた凹溝４０をストッパー３４に設け、前記突起３９を凹溝４０内でスライドできるようにすることで構成することができる。図２８Ｂに示すように、グリップ部１４を回転可能な状態とするため、ストッパー３４を係止用爪片３７との係止が外れる方向にスライドさせた場合、ストッパー３４の凹溝４０における結合部２９側を閉じる係止壁４１に突起３９が当接して、ストッパー３４はそれ以上スライドできない。【００６３】
図２５Ａ、Ｂに示す柄部２は、支持棒５とグリップ部１４とを伸ばした状態において、両者が折れ曲がらないようにするため、図２９Ａ、Ｂに示すように、結合部２９の底部４２に半球状突起４３を設けるとともに、芯部３０に該半球状突起４３を嵌合可能に支持する半球状凹部４４を設け、グリップ部１４と支持棒５を伸ばした状態では図２９Ａに示すように、結合部２９の半球状突起４３が芯部３０の半球状凹部４４に嵌まり込んだ状態となって固定されるようになっている。これに対し柄部２を折り畳む際には、図２９Ｂに示すように、グリップ部１４に少し大きな力を加えて回動させると、芯部材３０の半球状凹部４４と結合部底部４２の半球状突起４３との嵌合状態が外れて、グリップ部１４を回動させて、支持棒５とグリップ部１４とを二つ折り状態とすることができる。【００６４】
本発明の清掃用具における清掃部１は使い捨てタイプのものであり、使用後は清掃部１を柄部２より抜き出して新しい清掃部１と交換することができる。
【産業上の利用可能性】
【００６５】
本発明は、タンス等の家具、パソコンや照明器具等の電気製品、建物内部の壁、敷居、かも居等に着いた埃を除去するための清掃用具として家庭などで用いるのに有益である。
【図１】
2005084514.tif 000002
【図２】
2005084514.tif 000003
【図３】
2005084514.tif 000004
【図４】
2005084514.tif 000005
【図５】
2005084514.tif 000006
【図６】
2005084514.tif 000007
【図７】
2005084514.tif 000008
【図８】
2005084514.tif 000009
【図９】
2005084514.tif 000010
【図１０】
2005084514.tif 000011
【図１１】
2005084514.tif 000012
【図１２】
2005084514.tif 000013
【図１３】
2005084514.tif 000014
【図１４】
2005084514.tif 000015
【図１５Ａ】
2005084514.tif 000016
【図１５Ｂ】
2005084514.tif 000017
【図１５Ｃ】
2005084514.tif 000018
【図１６】
2005084514.tif 000019
【図１７】
2005084514.tif 000020
【図１８】
2005084514.tif 000021
【図１９】
2005084514.tif 000022
【図２０】
2005084514.tif 000023
【図２１】
2005084514.tif 000024
【図２２Ａ】
2005084514.tif 000025
【図２２Ｂ】
2005084514.tif 000026
【図２３】
2005084514.tif 000027
【図２４Ａ】
2005084514.tif 000028
【図２４Ｂ】
2005084514.tif 000029
【図２５Ａ】
2005084514.tif 000030
【図２５Ｂ】
2005084514.tif 000031
【図２６Ａ】
2005084514.tif 000032
【図２６Ｂ】
2005084514.tif 000033
【図２７Ａ】
2005084514.tif 000034
【図２７Ｂ】
2005084514.tif 000035
【図２８Ａ】
2005084514.tif 000036
【図２８Ｂ】
2005084514.tif 000037
【図２９Ａ】
2005084514.tif 000038
【図２９Ｂ】
2005084514.tif 000039
【国際調査報告】
2005084514.tif 000040
2005084514.tif 000041
2005084514.tif 000042
2005084514.tif 000043